(57)【要約】【課題】本発明は、循環式穀物乾燥機を効率よく使用することができる循環式穀物乾燥機の使用方法を提供することを目的とする。【解決手段】本発明は、複数台の前記循環式穀物乾燥機を配設してなる施設における循環式穀物乾燥機の使用方法において、乾燥させる穀物の量が、複数台の前記循環式穀物乾燥機における各乾燥機本体の合計の容量を超える場合には、前記乾燥させる穀物を前記各乾燥機本体に順次投入して乾燥させる一方、前記乾燥させる穀物を全ての乾燥機本体に投入した後は、乾燥後の穀物を機外へ排出するに際し、前記乾燥後の穀物を前記各乾燥機本体の下方から排出しながら同時に、残りの乾燥させる穀物を新たに乾燥させる穀物として前記各乾燥機本体に上方から投入することを順次行う。【選択図】図３
2019148381.tif 000002
【特許請求の範囲】
【請求項１】
上部に貯留部、該貯留部の下部に乾燥部を有する乾燥機本体と、前記乾燥機本体に付設される揚穀機を備え、前記乾燥機本体に上方から投入される穀物を前記貯留部から前記乾燥部へ通過させて前記乾燥機本体の下方から排出し、前記排出された穀物を前記揚穀機により揚穀して前記乾燥機本体の上部へ還流させることで、穀物を循環させながら乾燥させる循環式穀物乾燥機であって、
複数台の前記循環式穀物乾燥機を配設してなる施設における循環式穀物乾燥機の使用方法において、
乾燥させる穀物の量が、複数台の前記循環式穀物乾燥機における各乾燥機本体の合計の容量を超える場合には、前記乾燥させる穀物を前記各乾燥機本体に順次投入して乾燥させる一方、前記乾燥させる穀物を全ての乾燥機本体に投入した後は、乾燥後の穀物を機外へ排出するに際し、前記乾燥後の穀物を前記各乾燥機本体の下方から排出しながら同時に、残りの乾燥させる穀物を新たに乾燥させる穀物として前記各乾燥機本体に上方から投入することを順次行う循環式穀物乾燥機の使用方法。
【請求項２】
前記乾燥させる穀物は第１水分状態の穀物であって、
前記第１水分状態の穀物の量が、複数台の前記循環式穀物乾燥機における各乾燥機本体の合計の容量を超える場合には、前記第１水分状態の穀物が乾燥した後の穀物を第２水分状態の穀物として機外へ排出し、
前記第１水分状態の穀物の量が、複数台の前記循環式穀物乾燥機における各乾燥機本体の合計の容量を超えない場合には、前記第１水分状態の穀物が乾燥した後の穀物を前記第２水分状態よりも水分値の低い第３水分状態の穀物として機外へ排出する請求項１記載の循環式穀物乾燥機の使用方法。
【請求項３】
前記第１水分状態の穀物の量が、複数台の前記循環式穀物乾燥機における各乾燥機本体の合計の容量を超える場合であって、全ての前記第１水分状態の穀物を前記各乾燥機本体に投入した後は、前記第１水分状態の穀物が乾燥した後の穀物を前記第２水分状態の穀物として機外へ排出するに際し、前記第２水分状態の穀物を前記各乾燥機本体から排出しながら同時に、先に機外へ排出した第２水分状態の穀物を新たに乾燥させる穀物として前記各乾燥機本体に投入することを順次行い、前記第２水分状態の穀物が乾燥した後の穀物を第３水分状態の穀物として機外へ排出する請求項２記載の循環式穀物乾燥機の使用方法。
【請求項４】
機外へ排出する第２水分状態の穀物が存在しなくなった場合であって、先に機外へ排出した第２水分状態の穀物が存在する場合には、前記第２水分状態の穀物が乾燥した後の穀物を前記第３水分状態の穀物として機外へ排出するに際し、前記第３水分状態の穀物を前記各乾燥機本体から排出しながら同時に、残りの前記第２水分状態の穀物を新たに乾燥させる穀物として前記乾燥機本体に投入することを順次行い、残りの前記第２水分状態の穀物が乾燥した後の穀物を第３水分状態の穀物として機外へ排出する請求項３記載の循環式穀物乾燥機の使用方法。
【請求項５】
第２水分状態の穀物を機外へ排出するに際し、各循環式穀物乾燥機を熱風乾燥運転として乾燥しながら機外へ排出する請求項２乃至４のいずれかに記載の循環式穀物乾燥機の使用方法。
【請求項６】
第３水分状態の穀物として機外へ排出するに際し、各循環式穀物乾燥機を通風乾燥運転としてクーリングしながら機外へ排出する請求項２乃至４のいずれかに記載の循環式穀物乾燥機の使用方法。
【請求項７】
上部に貯留部、該貯留部の下部に乾燥部を有する乾燥機本体と、前記乾燥機本体に付設される揚穀機を備え、前記乾燥機本体に上方から投入される穀物を前記貯留部から前記乾燥部へ通過させて前記乾燥機本体の下方から排出し、前記排出された穀物を前記揚穀機により揚穀して前記乾燥機本体の上部へ還流させることで、穀物を循環させながら乾燥させる循環式穀物乾燥機の使用方法において、
乾燥させる穀物量が、前記乾燥機本体の容量を超える場合には、乾燥後の穀物を機外へ排出するに際し、前記乾燥後の穀物を前記乾燥機本体の下方から排出しながら同時に、残りの乾燥させる穀物を新たに乾燥させる穀物として前記乾燥機本体に上方から投入することを特徴とする循環式穀物乾燥機の使用方法。
【請求項８】
乾燥後の穀物を乾燥機本体の下方から排出しながら同時に、新たに乾燥させる穀物を前記乾燥機本体に上方から投入するに際し、前記乾燥機本体内の複数の高さ位置に設けられる水分計により排出される穀物と投入される穀物の各水分層の高さ位置を把握し、及び／又は、前記乾燥機本体から排出される穀物の排出量に基づいて前記乾燥機本体内の前記排出される穀物の残量を把握することで、前記乾燥機本体内における穀物の入れ換え状況を検出する請求項１乃至７のいずれかに記載の循環式穀物乾燥機の使用方法。
【請求項９】
乾燥後の穀物を乾燥機本体の下方から排出しながら同時に、新たに乾燥させる穀物を前記乾燥機本体に上方から投入するに際し、前記新たに乾燥させる穀物の投入を開始すると同時に前記穀物と略同じ比重の分銅を前記乾燥機本体に上方から投入し、前記分銅の高さ位置により排出される穀物と投入される穀物の境界の高さ位置を把握することで、前記乾燥機本体内における穀物の入れ換え状況を検出する請求項１乃至７のいずれかに記載の循環式穀物乾燥機の使用方法。
【発明の詳細な説明】
【技術分野】
【０００１】
本発明は、循環式穀物乾燥機を効率よく使用することができる循環式穀物乾燥機の使用方法に関する。
【背景技術】
【０００２】
従来、米や麦などの穀物の乾燥処理を循環式穀物乾燥機により行うことは周知である（特許文献１〜３を参照）。
前記循環式穀物乾燥機は、特許文献１に記載されるように、上部に貯留部、該貯留部の下部に乾燥部を有する乾燥機本体と、前記乾燥機本体に付設される揚穀機を備え、前記乾燥機本体に上方から投入される穀物を前記貯留部から前記乾燥部へ通過させて前記乾燥機本体の下方から排出し、前記排出された穀物を前記揚穀機により揚穀して前記乾燥機本体の上部へ還流させることで、穀物を循環させながら乾燥させるものである。
【０００３】
ところで、カントリーエレベータやライスセンター等の穀物乾燥調製施設では、特許文献２，３に記載されるように、複数台の循環式穀物乾燥機を配設して穀物の乾燥処理が行われているが、例えば当日の荷受量が多い場合には各乾燥機を複数回転稼働させる必要があり、翌日荷受できる量に影響を及ぼす虞があるため、前記各乾燥機をできるだけ効率よく使用することが重要となる。
【０００４】
また、１台の循環式穀物乾燥機により穀物の乾燥処理を行う施設でも、当日の荷受量が乾燥機本体の容量を超える場合には乾燥機を２回転以上稼働させる必要があり、翌日荷受できる量に影響を及ぼす虞があるため、前記乾燥機をできるだけ効率よく使用することが重要である。
【先行技術文献】
【特許文献】
【０００５】
【特許文献１】特開２００６−３０８２４４号公報
【特許文献２】実開昭５１−１５５８６７号公報
【特許文献３】特公昭５３−３３４９８号公報
【発明の概要】
【発明が解決しようとする課題】
【０００６】
そこで、本発明は、循環式穀物乾燥機を効率よく使用することができる循環式穀物乾燥機の使用方法を提供することを目的とする。
【課題を解決するための手段】
【０００７】
上記目的を達成するため、本発明は、
上部に貯留部、該貯留部の下部に乾燥部を有する乾燥機本体と、前記乾燥機本体に付設される揚穀機を備え、前記乾燥機本体に上方から投入される穀物を前記貯留部から前記乾燥部へ通過させて前記乾燥機本体の下方から排出し、前記排出された穀物を前記揚穀機により揚穀して前記乾燥機本体の上部へ還流させることで、穀物を循環させながら乾燥させる循環式穀物乾燥機であって、
複数台の前記循環式穀物乾燥機を配設してなる施設における循環式穀物乾燥機の使用方法において、
乾燥させる穀物の量が、複数台の前記循環式穀物乾燥機における各乾燥機本体の合計の容量を超える場合には、前記乾燥させる穀物を前記各乾燥機本体に順次投入して乾燥させる一方、前記乾燥させる穀物を全ての乾燥機本体に投入した後は、乾燥後の穀物を各循環式穀物乾燥機外へ排出するに際し、前記乾燥後の穀物を前記各乾燥機本体の下方から排出しながら同時に、残りの乾燥させる穀物を新たに乾燥させる穀物として前記各乾燥機本体に上方から投入することを順次行う。
【０００８】
本発明は、
前記乾燥させる穀物が第１水分状態の穀物であって、
前記第１水分状態の穀物の量が、複数台の前記循環式穀物乾燥機における各乾燥機本体の合計の容量を超える場合には、前記第１水分状態の穀物が乾燥した後の穀物を第２水分状態の穀物として機外へ排出し、
前記第１水分状態の穀物の量が、複数台の前記循環式穀物乾燥機における各乾燥機本体の合計の容量を超えない場合には、前記第１水分状態の穀物が乾燥した後の穀物を前記第２水分状態よりも水分値の低い第３水分状態の穀物として機外へ排出することが好ましい。
【０００９】
本発明は、
前記第１水分状態の穀物の量が、複数台の前記循環式穀物乾燥機における各乾燥機本体の合計の容量を超える場合であって、全ての前記第１水分状態の穀物を前記各乾燥機本体に投入した後は、前記第１水分状態の穀物が乾燥した後の穀物を前記第２水分状態の穀物として機外へ排出するに際し、前記第２水分状態の穀物を前記各乾燥機本体から排出しながら同時に、先に機外へ排出した第２水分状態の穀物を新たに乾燥させる穀物として前記各乾燥機本体に投入することを順次行い、前記第２水分状態の穀物が乾燥した後の穀物を第３水分状態の穀物として機外へ排出することが好ましい。
【００１０】
本発明は、
機外へ排出する第２水分状態の穀物が存在しなくなった場合であって、先に機外へ排出した第２水分状態の穀物が存在する場合には、前記第２水分状態の穀物が乾燥した後の穀物を前記第３水分状態の穀物として機外へ排出するに際し、前記第３水分状態の穀物を前記各乾燥機本体から排出しながら同時に、残りの前記第２水分状態の穀物を新たに乾燥させる穀物として前記乾燥機本体に投入することを順次行い、残りの前記第２水分状態の穀物が乾燥した後の穀物を第３水分状態の穀物として機外へ排出することが好ましい。
【００１１】
本発明は、
前記第１水分状態の穀物が生穀物、前記第２水分状態の穀物が半々乾穀物、前記第３水分状態の穀物が半乾穀物であることが好ましく、第２水分状態の穀物を機外へ排出するに際し、各循環式穀物乾燥機を熱風乾燥運転として乾燥しながら機外へ排出することが好ましい。
ここで、本発明において、半々乾穀物とは、生穀物の水分状態と半乾穀物の水分状態の中間の水分状態の穀物をいう。
【００１２】
また、本発明は、
前記第１水分状態の穀物が生穀物、前記第２水分状態の穀物が半々乾穀物、前記第３水分状態の穀物が半乾穀物であることが好ましく、第３水分状態の穀物を機外へ排出するに際し、各循環式穀物乾燥機を通風乾燥運転（送風運転）としてクーリングしながら機外へ排出することが好ましい。
【００１３】
また、上記目的を達成するため、本発明は、
上部に貯留部、該貯留部の下部に乾燥部を有する乾燥機本体と、前記乾燥機本体に付設される揚穀機を備え、前記乾燥機本体に上方から投入される穀物を前記貯留部から前記乾燥部へ通過させて前記乾燥機本体の下方から排出し、前記排出された穀物を前記揚穀機により揚穀して前記乾燥機本体の上部へ還流させることで、穀物を循環させながら乾燥させる循環式穀物乾燥機の使用方法において、
乾燥させる穀物量が、前記乾燥機本体の容量を超える場合には、乾燥後の穀物を機外へ排出するに際し、前記乾燥後の穀物を前記乾燥機本体の下方から排出しながら同時に、残りの乾燥させる穀物を新たに乾燥させる穀物として前記乾燥機本体に上方から投入することを特徴とする。
【００１４】
本発明は、
乾燥後の穀物を乾燥機本体の下方から排出しながら同時に、新たに乾燥させる穀物を前記乾燥機本体に上方から投入するに際し、前記乾燥機本体内の複数の高さ位置に設けられる水分計により排出される穀物と投入される穀物の各水分層の高さ位置を把握し、及び／又は、前記乾燥機本体から排出される穀物の排出量に基づいて前記乾燥機本体内の前記排出される穀物の残量を把握することで、前記乾燥機本体内における穀物の入れ換え状況を検出することが好ましい。
【００１５】
また、本発明は、
乾燥後の穀物を乾燥機本体の下方から排出しながら同時に、新たに乾燥させる穀物を前記乾燥機本体に上方から投入するに際し、前記新たに乾燥させる穀物の投入を開始すると同時に前記穀物と略同じ比重の分銅を前記乾燥機本体に上方から投入し、前記分銅の高さ位置により排出される穀物と投入される穀物の境界の高さ位置を把握することで、前記乾燥機本体内における穀物の入れ換え状況を検出することが好ましい。
【発明の効果】
【００１６】
本発明は、乾燥後の穀物を機外へ排出するに際し、前記乾燥後の穀物を乾燥機本体の下方から排出しながら同時に、新たに乾燥させる穀物を前記乾燥機本体に上方から投入するので、乾燥後の穀物を乾燥機本体から排出した後に、新たに乾燥させる穀物を前記乾燥機本体に投入する場合に比べ、乾燥機本体内の穀物の入れ換えにかかる時間を半分に短縮することができる。
したがって、本発明の循環式穀物乾燥機の使用方法によれば、循環式穀物乾燥機を効率よく使用することができる。
【００１７】
本発明は、複数台の循環式穀物乾燥機を配設してなる施設において、乾燥させる穀物が第１水分状態の穀物であって、前記第１水分状態の穀物の量が、複数台の前記循環式穀物乾燥機における各乾燥機本体の合計の容量を超える場合に、前記第１水分状態の穀物を第３水分状態の穀物まで２段階に分けて乾燥することとすれば、循環式穀物乾燥機毎の待ち時間のバラツキをなくし、施設全体としての循環式穀物乾燥機の稼働率を向上させることができる。
したがって、本発明の循環式穀物乾燥機の使用方法によれば、複数台の循環式穀物乾燥機を配設してなる施設において、循環式穀物乾燥機を効率よく使用することができる。
【００１８】
本発明は、第２水分状態の穀物を機外へ排出するに際し、各循環式穀物乾燥機を熱風乾燥運転として乾燥しながら機外へ排出することとすれば、前記乾燥機本体からの排出時間を利用して前記穀物を前記第２水分状態まで乾燥させることができるので、乾燥時間を短縮することができる。
また、前記第２水分状態の穀物を前記乾燥機本体から排出しながら同時に、新たに乾燥させる穀物を前記乾燥機本体に投入するので、一部の新たに乾燥させる穀物については投入時間を利用した乾燥が期待できる。
したがって、本発明の循環式穀物乾燥機の使用方法によれば、複数台の循環式穀物乾燥機を配設してなる施設において、循環式穀物乾燥機を効率よく使用することができる。
【００１９】
本発明は、第３水分状態の穀物を機外へ排出するに際し、各循環式穀物乾燥機を通風乾燥運転としてクーリングしながら機外へ排出することとすれば、前記乾燥機本体からの排出時間を利用して前記穀物の穀温を外気と同程度に下げることができる。
したがって、本発明の循環式穀物乾燥機の使用方法によれば、複数台の循環式穀物乾燥機を配設してなる施設において、循環式穀物乾燥機を効率よく使用することができる。
【００２０】
本発明は、乾燥後の穀物を乾燥機本体から排出しながら同時に、新たに乾燥させる穀物を前記乾燥機本体に上方から投入するに際し、前記乾燥機本体内の複数の高さ位置に設けられる水分計により排出される穀物と投入される穀物の各水分層の高さ位置を把握し、及び／又は、前記乾燥機本体から排出される穀物の排出量に基づいて前記乾燥機本体内の前記排出される穀物の残量を把握することで、前記乾燥機本体内における穀物の入れ換え状況を検出することとすれば、前記乾燥機本体内における穀物の入れ換え完了を適切に検知することができる。
【００２１】
本発明は、乾燥後の穀物を乾燥機本体から排出しながら同時に、新たに乾燥させる穀物を前記乾燥機本体に上方から投入するに際し、前記新たに乾燥させる穀物の投入を開始すると同時に前記穀物と略同じ比重の分銅を前記乾燥機本体に上方から投入し、前記分銅の高さ位置により排出される穀物と投入される穀物の境界の高さ位置を把握することで、前記乾燥機本体内における穀物の入れ換え状況を検出することとすれば、前記乾燥機本体内における穀物の入れ換え完了を適切に検知することができる。
【図面の簡単な説明】
【００２２】
【図１】カントリーエレベータの平面模式図。
【図２】カントリーエレベータの概略説明図。
【図３】実施例１のタイムチャート。
【図４】実施例２のタイムチャート。
【図５】実施例３のタイムチャート。
【発明を実施するための形態】
【００２３】
本発明の実施の形態を図面に基づいて説明する。
図１はカントリーエレベータの平面模式図を示す。図２はカントリーエレベータの概略説明図を示す。
図１及び図２に示すカントリーエレベータは、穀物を荷受け処理するための各種設備を収容する機械棟１、穀物を乾燥処理するための循環式穀物乾燥機を格納する乾燥棟２、及び穀物を貯留するためのサイロ列３を備える。
【００２４】
前記機械棟１には、収穫された穀物、例えば生籾を受け入れる荷受ホッパ１１、前記穀物から夾雑物等を除去する粗選機１２、前記粗選した後の穀物を計量する計量器１３等が収容される。
【００２５】
前記乾燥棟２には、６台の循環式穀物乾燥機２１が並設して格納される。前記循環式穀物乾燥機２１は、上部に貯留部、該貯留部の下部に乾燥部を有する乾燥機本体と、前記乾燥機本体に付設される揚穀機を備え、前記乾燥機本体に上方から投入される穀物を前記貯留部から前記乾燥部へ通過させて前記乾燥機本体の下方から排出し、前記排出された穀物を前記揚穀機により揚穀して前記乾燥機本体の上部へ還流させることで、穀物を循環させながら乾燥させる周知のものである。
【００２６】
前記サイロ列３には、１０基の本サイロ３１が２列に設けられ、前記本サイロに囲まれる空間に４基の間隙サイロ３２が設けられる。
【００２７】
前記カントリーエレベータにおいて、荷受ホッパ１１で荷受けした生穀物は、粗選機１２で粗選され、計量器１３で計量された後、揚穀機４１により揚穀され、横送りコンベア５１から揚穀機４２及び横送りコンベア５２を経て各循環式穀物乾燥機２１の各乾燥機本体に上方から順次投入される。このとき、各乾燥機本体の合計容量を超える生穀物が存在する場合は、残りの生籾を前記横送りコンベア５１及び横送りコンベア５３を経て間隙サイロ３２又は本サイロ３１に投入し一時的に貯留してもよい。また、これに限らず、各乾燥機本体の合計容量を超える生穀物は、荷受工程側に備えた荷受タンク又は一時貯留ビン（図示せず）に一時的に貯留してもよい。
【００２８】
前記各循環式穀物乾燥機２１で乾燥処理された後の穀物は、目標水分状態となって各乾燥機本体の下方から順次排出され、各循環式穀物乾燥機外へ排出された後、横送りコンベア５４から揚穀機４３及び横送りコンベア５３を経て間隙サイロ３２又は本サイロ３１に投入されテンパリングが行われる。
【００２９】
また、各乾燥機本体の合計容量を超える生穀物が存在する場合であって、例えば前記間隙サイロ３２又は本サイロ３１に投入され一時的に貯留された生穀物は、前記各循環式穀物乾燥機２１で前記乾燥処理された後の穀物の前記各機外への排出にともない、前記間隙サイロ３２又は本サイロ３１の下方から排出され、横送りコンベア５５から横送りコンベア５６及び揚穀機４２を経て前記各循環式穀物乾燥機２１の各乾燥機本体に上方から順次投入される。
【００３０】
そして、前記各循環式穀物乾燥機２１で乾燥処理された後の穀物は、目標水分状態となって各乾燥機本体の下方から順次排出され、各機外へ排出された後、横送りコンベア５４から揚穀機４３及び横送りコンベア５３を経て間隙サイロ３２又は本サイロ３１に投入されテンパリングが行われる。
【００３１】
なお、前記間隙サイロ３２又は本サイロ３１に投入されテンパリングが行われた前記目標水分状態の穀物は、必要に応じ、前記各循環式穀物乾燥機２１で再度の乾燥処理が行われる。
【００３２】
以下、本発明の実施の形態における循環式穀物乾燥機の使用方法について説明する。
ここでは、乾燥機本体の容量が３０ｔ（トン）の循環式穀物乾燥機２１を使用して、約２４％の水分状態の生籾を、乾減率（１時間当たりの水分減少率）０．６％で熱風乾燥させ、約１７％の水分状態の半乾籾を得る場合を例とする。
なお、前記乾燥機本体へ３０ｔの穀物を投入するのに必要な時間（投入時間）と、前記乾燥機本体から３０ｔの穀物を排出するのに必要な時間（排出時間）は、ともに１時間であると仮定する。
【００３３】
＜実施例１＞
図３は、６台の循環式穀物乾燥機２１を並設してなる施設において、各乾燥機本体の合計容量１８０ｔを超える１日の荷受量２１０ｔの生籾を、約２４％の水分状態から約１７％の水分状態の半乾籾まで、１段階で一気に乾燥処理する場合の循環式穀物乾燥機の使用方法のタイムチャートの一例を示す。
【００３４】
本実施例では、まず、投入１巡目において、第１乾燥機から第６乾燥機まで、生籾３０ｔを各乾燥機本体に順次投入する。
各乾燥機では、各乾燥機本体への生籾の投入後、順次、乾燥処理が行われるが、乾減率０．６％で乾燥するよう熱風温度が制御され、前記生籾は、約２４％の水分状態から約１７％の水分状態まで約１２時間かけて水分値が低下する。
【００３５】
前記各乾燥機において前記乾燥処理が終了した後は、第１乾燥機から第６乾燥機まで、半乾籾を各乾燥機本体から順次排出し、各機外への排出を行う。そして、前記各機外へ排出した半乾籾を間隙サイロ３２又は本サイロ３１に投入しテンパリングを行う。
【００３６】
次に、第１乾燥機から第６乾燥機までの全ての乾燥機本体に生籾を投入した後は、さらに３０ｔの生籾が残るため、前記第１乾燥機を２回転稼働させ、投入２巡目において、第１乾燥機の乾燥機本体に残りの生籾を投入し、乾燥処理を行い、半乾籾を前記乾燥機本体から排出して機外への排出を行い、さらに、前記半乾籾を間隙サイロ３２又は本サイロ３１に投入しテンパリングを行う。
【００３７】
ここで、本実施例では、投入１巡目において約１７％の水分状態まで水分値が低下した半乾籾を第１乾燥機外へ排出するに際し、前記半乾籾を乾燥機本体の下方から排出しながら同時に、投入２巡目において残りの生籾を新たに乾燥させる生籾として前記乾燥機本体に上方から投入する。
【００３８】
本実施例によれば、投入１巡目において半乾籾を乾燥機本体から排出した後に、投入２巡目において残りの生籾を前記乾燥機本体に投入する場合に比べ、乾燥機本体内の籾の入れ換えにかかる時間を半分の１時間に短縮することができる。
したがって、本実施例による循環式穀物乾燥機の使用方法によれば、６台の循環式穀物乾燥機を並設してなる施設において、循環式穀物乾燥機を効率よく使用することができる。
【００３９】
なお、本実施例では、投入１巡目及び投入２巡目とも、前記半乾籾を各機外へ排出するに際し、第１乾燥機から第６乾燥機までの各乾燥機を通風乾燥運転（送風運転）としてクーリングしながら機外へ排出することが好ましく、その場合、前記各乾燥機本体からの排出時間を利用して前記半乾籾の穀温を外気と同程度に下げることができる。なお、この通風乾燥運転（送風運転）は、外気温度が低い場合に乾減率（１時間当たりの水分減少率）０．３％程度の乾燥が可能な場合もある。
【００４０】
＜実施例２＞
図４は、６台の循環式穀物乾燥機２１を並設してなる施設において、各乾燥機本体の合計容量１８０ｔを超える１日の荷受量２７０ｔの生籾を、約２４％の水分状態から約１７％の水分状態の半乾籾まで、２段階に分けて乾燥処理する場合の循環式穀物乾燥機の使用方法のタイムチャートの一例を示す。
【００４１】
本実施例では、１段目の乾燥として、生籾を約２４％の第１水分状態から約２１％の第２水分状態の籾（以下、「半々乾籾」という。）まで乾燥処理し、２段目の乾燥として、前記半々乾籾を約２１％の第２水分状態から約１７％の第３水分状態の半乾籾まで乾燥処理する。
【００４２】
本実施例では、まず、投入１巡目において、第１乾燥機から第６乾燥機まで、生籾３０ｔを各乾燥機本体に順次投入する。
各乾燥機では、各乾燥機本体への生籾の投入後、順次、１段目の乾燥処理が行われ、前記生籾は、乾減率０．６％で約２４％の第１水分状態から約２１％の第２水分状態まで約５時間かけて水分値が低下する。
【００４３】
前記各乾燥機において前記１段目の乾燥処理が終了した後は、第１乾燥機から第６乾燥機まで、半々乾籾を各乾燥機本体から順次排出し、各機外への排出を行う。そして、前記各機外へ排出した半々乾籾を間隙サイロ３２又は本サイロ３１に投入しテンパリングを行う。
【００４４】
次に、第１乾燥機から第６乾燥機までの全ての乾燥機本体に生籾を投入した後は、さらに９０ｔの生籾が残るため、投入２巡目において、第１乾燥機から第３乾燥機まで、残りの生籾を新たに乾燥させる生籾として各乾燥機本体に順次投入し、１段目の乾燥処理を行った後、半々乾籾を前記各乾燥機本体から排出して各機外への排出を行い、さらに、前記半々乾籾を間隙サイロ３２又は本サイロ３１に投入しテンパリングを行う。
【００４５】
他方、投入２巡目において、残りの生籾の全てを第１乾燥機から第３乾燥機の各乾燥機本体に投入した後は、第４乾燥機から第６乾燥機まで、１段目の乾燥処理が終了した後に各乾燥機から機外へ排出した約２１％の第２水分状態の半々乾籾であって、間隙サイロ３２又は本サイロ３１に投入してテンパリングを行った後の半々乾籾を新たに乾燥させる籾として、各乾燥機本体に順次投入する。
【００４６】
第４乾燥機から第６乾燥機の各乾燥機では、各乾燥機本体への半々乾籾の投入後、順次、２段目の乾燥処理が行われ、前記半々乾籾は、乾減率０．６％で約２１％の第２水分状態から約１７％の第３水分状態まで約７時間かけて水分値が低下する。
【００４７】
前記第４乾燥機から第６乾燥機の各乾燥機において前記２段目の乾燥処理が終了した後は、第４乾燥機から第６乾燥機まで、半乾籾を各乾燥機本体から順次排出し、各機外への排出を行う。そして、各機外へ排出した半乾籾を本サイロ３１に投入し貯留する。
【００４８】
第４乾燥機から第６乾燥機まで、各乾燥機本体に半々乾籾を投入した後は、さらに１８０ｔの半々乾籾を新たに乾燥させる必要があるため、投入３巡目において、第１乾燥機から第６乾燥機まで、半々乾籾を新たに乾燥させる籾として各乾燥機本体に順次投入し、２段目の乾燥処理を行った後、半乾籾を前記各乾燥機本体から排出して各機外への排出を行い、さらに、前記半乾籾を本サイロ３１に投入し貯留する。
【００４９】
ここで、本実施例では、投入１巡目において１段目の乾燥処理が終了し、約２１％の第２水分状態まで水分値が低下した半々乾籾を第１乾燥機から第３乾燥機の各機外へ排出するに際し、前記半々乾籾を各乾燥機本体の下方から排出しながら同時に、投入２巡目において残りの生籾を新たに乾燥させる生籾として前記各乾燥機本体に上方から投入することを順次行う。
【００５０】
また、投入１巡目において１段目の乾燥処理が終了し、約２１％の第２水分状態まで水分値が低下した半々乾籾を第４乾燥機から第６乾燥機の各機外へ排出するに際し、前記半々乾籾を各乾燥機本体の下方から排出しながら同時に、投入２巡目において先に機外へ排出しテンパリングを行った後の半々乾籾を新たに乾燥させる籾として前記各乾燥機本体に上方から投入することを順次行う。
【００５１】
本実施例では、投入２巡目において１段目の乾燥処理が終了し、約２１％の第２水分状態まで水分値が低下した半々乾籾を第１乾燥機から第３乾燥機の各機外へ排出するに際し、前記半々乾籾を各乾燥機本体の下方から排出しながら同時に、投入３巡目において先に機外へ排出しテンパリングを行った後の半々乾籾を新たに乾燥させる籾として前記各乾燥機本体に上方から投入することを順次行う。
【００５２】
また、投入２巡目において２段目の乾燥処理が終了し、約１７％の第３水分状態まで水分値が低下した半乾籾を第４乾燥機から第６乾燥機の各機外へ排出するに際し、前記半乾籾を各乾燥機本体の下方から排出しながら同時に、投入３巡目において先に機外へ排出しテンパリングを行った後の半々乾籾を新たに乾燥させる籾として前記各乾燥機本体に上方から投入することを順次行う。
【００５３】
本実施例によれば、６台の循環式穀物乾燥機を並設してなる施設において、生籾の１日の荷受量が、各乾燥機本体の合計の容量を超える場合には、前記生籾を半乾籾まで２段階に分けて乾燥処理するので、乾燥機毎の待ち時間のバラツキをなくし、施設全体として循環式穀物乾燥機の稼働率を向上させることができ、図４に示す例では翌日の荷受量に影響を与えない。
【００５４】
また、本実施例においても、乾燥機本体からの乾燥後の籾の排出と、新たに乾燥させる籾の乾燥機本体への投入を同時に行うので、乾燥機本体から乾燥後の籾を排出した後に、新たに乾燥させる籾を前記乾燥機本体に投入する場合に比べ、乾燥機本体内の籾の入れ換えにかかる時間を半分の１時間に短縮することができる。
したがって、本実施例による循環式穀物乾燥機の使用方法によれば、６台の循環式穀物乾燥機を並設してなる施設において、循環式穀物乾燥機を効率よく使用することができる。
【００５５】
ここで、本実施例では、１段目の乾燥処理が終了した後に半々乾籾を各乾燥機の機外へ排出するに際し、前記各乾燥機を熱風乾燥運転として乾燥しながら機外へ排出することができる。その場合、各乾燥機本体からの排出時間を利用して籾を第２水分状態まで乾燥させることができるので、乾燥時間を約１時間短縮することができる。
また、前記半々乾籾を前記乾燥機本体から排出しながら同時に、新たに乾燥させる籾を前記乾燥機本体に投入するので、一部の新たに乾燥させる籾については投入時間を利用した乾燥が期待できる。
【００５６】
本実施例では、２段目の乾燥処理が終了した後に半乾籾を各乾燥機の機外へ排出するに際し、前記各乾燥機を通風乾燥運転（送風運転）としてクーリングしながら機外へ排出することができる。その場合、各乾燥機本体からの排出時間を利用して前記半乾籾の穀温を外気と同程度に下げることができる。
【００５７】
＜実施例３＞
図５は、１台の循環式穀物乾燥機２１を配設してなる施設において、乾燥機本体の容量３０ｔを超える１日の荷受量６０ｔの生籾を、約２４％の水分状態から約１７％の水分状態の半乾籾まで、乾燥処理する場合の循環式穀物乾燥機の使用方法のタイムチャートの一例を示す。
【００５８】
本実施例では、投入１巡目において、乾燥機における乾燥機本体への生籾の投入後、約１２時間をかけて乾燥処理が行われる。前記乾燥機において乾燥処理が終了した後は、約１７％の水分状態の半乾籾を前記乾燥機本体から排出し、機外への排出を行い、さらに、前記半乾籾を本サイロ３１に投入し貯留する。
【００５９】
次に、投入２巡目において、乾燥機における乾燥機本体へ残りの生籾を投入し、乾燥処理を行い、半乾籾を前記乾燥機本体から排出し、機外への排出を行い、さらに、前記半乾籾を本サイロ３１に投入し貯留する。
【００６０】
ここで、本実施例においても、投入１巡目において約１７％の水分状態まで水分値が低下した半乾籾を機外へ排出するに際し、前記半乾籾を乾燥機本体の下方から排出しながら同時に、投入２巡目において残りの生籾を新たに乾燥させる生籾として前記乾燥機本体に上方から投入する。
【００６１】
本実施例によっても、投入１巡目において半乾籾を乾燥機本体から排出した後に、投入２巡目において残りの生籾を前記乾燥機本体に投入する場合に比べ、乾燥機本体内の籾の入れ換えにかかる時間を半分の１時間に短縮することができる。
したがって、本実施例による循環式穀物乾燥機の使用方法によれば、１台の循環式穀物乾燥機を配設してなる施設においても、循環式穀物乾燥機を効率よく使用することができる。
【００６２】
上記各実施例において、乾燥後の穀物を乾燥機本体の下方から排出しながら同時に、新たに乾燥させる穀物を前記乾燥機本体に上方から投入するに際し、前記乾燥機本体内の複数の高さ位置に設けられる水分計により排出される穀物と投入される穀物の各水分層の高さ位置を把握し、及び／又は、前記乾燥機本体から排出される穀物の排出量に基づいて前記乾燥機本体内の前記排出される穀物の残量を把握することで、前記乾燥機本体内における穀物の入れ換え状況を検出することとすれば、前記乾燥機本体内における穀物の入れ換え完了を適切に検知することができる。
【００６３】
また、上記各実施例において、乾燥後の穀物を乾燥機本体の下方から排出しながら同時に、新たに乾燥させる穀物を前記乾燥機本体に上方から投入するに際し、前記新たに乾燥させる穀物の投入を開始すると同時に前記穀物と略同じ比重の分銅、例えば巻き上げ装置付きの分銅を前記乾燥機本体に上方から投入し、前記分銅の高さ位置により排出される穀物と投入される穀物の境界の高さ位置を把握することで、前記乾燥機本体内における穀物の入れ換え状況を検出することとすれば、前記乾燥機本体内における穀物の入れ換え完了を適切に検知することができる。
【００６４】
上記各実施例では、６台又は１台の循環式穀物乾燥機を配設してなる施設を例としたが、これに限るものでなく、乾燥機の設置台数は適宜増減することができる。
【００６５】
上記各実施例では、生籾を１段階で乾燥処理する場合と、２段階に分けて乾燥処理する場合について説明したが、生籾を３段階以上に分けて乾燥処理することもできる。
また、上記各実施例では、生籾を乾燥させて水分値が約１７％の半乾籾を得る場合について説明したが、さらに水分値の低い乾燥籾を得ることもできる。
【００６６】
上記実施例では、生籾を原料として乾燥処理する場合を例として説明したが、乾燥籾を原料として乾燥処理することもできる。
また、上記実施例では、籾を原料としたが、麦等のその他の穀物を原料として乾燥処理することもできる、
【００６７】
本発明は、上記実施の形態に限るものでなく発明の範囲を逸脱しない限りにおいて、その構成を適宜変更できることはいうまでもない。
【産業上の利用可能性】
【００６８】
本発明の循環式穀物乾燥機の使用方法によれば、循環式穀物乾燥機を効率よく使用することができるため有用である。
【符号の説明】
【００６９】
１      機械棟
１１      荷受ホッパ
１２      粗選機
１３      計量器
２      乾燥棟
２１      循環式穀物乾燥機
３      サイロ列
３１      本サイロ
３２      間隙サイロ
４１      揚穀機
４２      揚穀機
４３      揚穀機
５１      横送りコンベア
５２      横送りコンベア
５３      横送りコンベア
５４      横送りコンベア
５５      横送りコンベア
５６      横送りコンベア
【図１】
2019148381.tif 000003
【図２】
2019148381.tif 000004
【図３】
2019148381.tif 000005
【図４】
2019148381.tif 000006
【図５】
2019148381.tif 000007